【手続補正書】
【提出日】平成19年8月7日(2007.8.7)
【手続補正１】
【補正対象書類名】特許請求の範囲
【補正対象項目名】全文
【補正方法】変更
【補正の内容】
【特許請求の範囲】
【請求項１】
打撃フェースと、
上記打撃フェースと連結され、かつ離間されるバックフランジであって、少なくとも１つの切り込みを有するものと、
上記打撃フェースおよび上記バックフランジの間に配置された軽量インサートとを有し、
上記軽量インサートは少なくとも１つの突起を有し、上記突起が上記切り込み中に配されて上記打撃フェースおよび上記バックフランジの間に配列され上記軽量インサートが上記打撃フェースに対してずれないようにしたことを特徴とするゴルフクラブ。
【請求項２】
上記ヘッドは上記打撃フェースの背面に設けられたキャビティを有し、上記軽量インサートは上記キャビティ中に配される請求項１記載のゴルフクラブ。
【請求項３】
上記打撃フェースは、ゴルフボールを打つ前面とこの前面の反対側のバックとを含み、上記軽量インサートは上記バックの下方の一部としか接触しない請求項１記載のゴルフクラブ。
【請求項４】
上記軽量インサートは上記打撃フェースおよび上記バックフランジの間に圧縮フィットされる請求項１記載のゴルフクラブ。
【請求項５】
上記打撃フェースの厚さは約０．１０２ｃｍ（０．０４インチ）から約０．４０６ｃｍ（０．１６インチ）の間である請求項１記載のゴルフクラブ。
【請求項６】
上記軽量インサートはアルミニウム、マグネシウム、チタン、強化ポリマー、またはこれらの組み合わせを含む請求項１記載のゴルフクラブ。
【請求項７】
上記軽量インサートは、実質的に均一の厚さの下方部分と、より大きな厚さの上方部分とを有する請求項１記載のゴルフクラブ。
【請求項８】
上記軽量インサートの厚さが変化し、もっと厚い部分が上記打撃フェースの中心寄りに配される請求項１記載のゴルフクラブ。
【請求項９】
複数の軽量インサートを有し、各軽量インサートが少なくとも１つの突起を有し、上記突起が上記切り込みに係合し、各インサートが上記打撃フェースの少なくとも一部に接触する請求項１記載のゴルフクラブ。
【請求項１０】
フロントサイドおよびバックサイドを具備する打撃フェースと、
上記打撃フェースから伸びる周囲ウエイトと、
上記周囲ウエイトの下方部分から延びてバックキャビティの約１０％から約５０をカバーするバックフランジと、
上記打撃フェースおよび上記バックフランジに並べられて上記バックフランジを越えて上記バックキャビティの少なくとも約５％から約４０％をカバーするインサートとを有することと特徴とするアイアンゴルフクラブ。
【請求項１１】
第１の金属で製造され第１の比重を有する打撃フェースと、
上記打撃フェースと連結され、かつ離間されるバックフランジと、
上記打撃フェースおよび上記バックフランジの間に双方に接触するように配置された軽量インサートであって、第２の金属で製造され第１の比重より小さな第２の比重を有するものとを有するヘッドを具備するアイアンゴルフクラブ。
【請求項１２】
上記ヘッドは上記打撃フェースの背面に設けられたキャビティを有し、上記軽量インサートは上記キャビティ中に配される請求項１１記載のゴルフクラブ。
【請求項１３】
上記打撃フェースは、ゴルフボールを打つ前面とこの前面の反対側のバックとを含み、上記軽量インサートは上記バックの下方の一部としか接触しない請求項１１記載のゴルフクラブ。
【請求項１４】
上記軽量インサートを上記バックフランジおよび上記打撃フェースの間に固定して取り付ける少なくとも１つのファスナーを有する請求項１１記載のゴルフクラブ。
【請求項１５】
上記軽量インサートを上記バックフランジおよび上記打撃フェースの間に取り付ける接着材を有する請求項１１記載のゴルフクラブ。
【請求項１６】
上記軽量インサートは上記打撃フェースおよび上記バックフランジの間に圧縮フィットされる請求項１１記載のゴルフクラブ。
【請求項１７】
上記打撃フェースの厚さは約０．１０２ｃｍ（０．０４インチ）から約０．４０６ｃｍ（０．１６インチ）の間である請求項１１記載のゴルフクラブ。
【請求項１８】
上記軽量インサートは、実質的に均一の厚さの下方部分と、より大きな厚さの上方部分とを有する請求項１１記載のゴルフクラブ。
【請求項１９】
上記軽量インサートは厚さが変化する下方部分を有する請求項１１記載のゴルフクラブ。
【手続補正２】
【補正対象書類名】明細書
【補正対象項目名】００２３
【補正方法】変更
【補正の内容】
【００２３】
軽量インサート３２は、打撃フェース１６およびバックフランジ１８の間に固定的にあるいは着脱自在に挿入することができる。軽量インサート３２は１または複数のファスナー４０により固定して取り付けることができる。適切なファスナー４０はリベットやねじ等の機械ファスナーである。こられ機械ファスナーはバックフランジ１８を通り抜けて軽量インサート３２に突き刺さり、さらに打撃フェース１６に延びても良い。適切な接着材にはツーパート接着材、接着テープ、紫外線活性テープ、リリーサブル接着材およびその組み合わせが含まれる。接着材は軽量インサート３２と打撃フェース１６およびバックフランジ１８の少なくとも一方との間に配される。突起３４および切り込み３６を設けて軽量インサート３２を固定して支持するようにしても良い。１実施例では、軽量インサート３２を打撃フェース１６およびバックフランジ１８の間に圧縮フィットさせる。軽量インサート３２を取り外し可能にすれば、製造後に、インサート３２を交換し、更新してヘッド１２の特性を修正することができる。また損傷したり疲弊しても簡易に交換できる。
なお、以上に開示した内容の技術的な特徴を以下にまとめる。
技術的特徴１：
第１の金属で製造され第１の比重を有する打撃フェースと、
上記打撃フェースと連結され、かつ離間されるバックフランジと、
上記打撃フェースおよび上記バックフランジの間に双方に接触するように配置された軽量インサートであって、第２の金属で製造され第１の比重より小さな第２の比重を有するものとを有するヘッドを具備するアイアンゴルフクラブ。
技術的特徴２：
上記ヘッドは上記打撃フェースの背面に設けられたキャビティを有し、上記軽量インサートは上記キャビティ中に配される技術的特徴１記載のゴルフクラブ。
技術的特徴３：
上記キャビティの下方部分にアンダーカットが形成され、ヘッドの所望の重量を実現するように充填される技術的特徴２記載のゴルフクラブ。
技術的特徴４：
上記打撃フェースは、ゴルフボールを打つ前面とこの前面の反対側のバックとを含み、上記軽量インサートは上記バックの下方の一部としか接触しない技術的特徴１記載のゴルフクラブ。
技術的特徴５：
上記軽量インサートと接触する上記バックの一部は、上記前面のボール衝撃位置に対応する技術的特徴４記載のゴルフクラブ。
技術的特徴６：
上記軽量インサートを上記バックフランジおよび上記打撃フェースの間に固定して取り付ける少なくとも１つのファスナーを有する技術的特徴１記載のゴルフクラブ。
技術的特徴７：
上記ファスナーは上記バックフランジを通り抜けて上記インサートの少なくとも一部を突き刺す技術的特徴６記載のゴルフクラブ。
技術的特徴８：
上記ファスナーは機械ファスナーである技術的特徴６記載のゴルフクラブ。
技術的特徴９：
上記軽量インサートを上記バックフランジおよび上記打撃フェースの間に取り付ける接着材を有する技術的特徴１記載のゴルフクラブ。
技術的特徴１０：
上記接着材は上記インサートと上記打撃フェースおよび上記バックフランジの少なくとも一方との間に配される技術的特徴９記載のゴルフクラブ。
技術的特徴１１：
上記接着材はツーパート接着材、接着テープ、紫外線活性テープ、またはこれらの組み合わせを含む技術的特徴９記載のゴルフクラブ。
技術的特徴１２：
上記軽量インサートは上記打撃フェースおよび上記バックフランジの間に圧縮フィットされる技術的特徴１記載のゴルフクラブ。
技術的特徴１３：
上記打撃フェースの厚さは約０．１０２ｃｍ（０．０４インチ）から約０．４０６ｃｍ（０．１６インチ）の間である技術的特徴１記載のゴルフクラブ。
技術的特徴１４：
上記軽量インサートは、実質的に均一の厚さの下方部分と、より大きな厚さの上方部分とを有する技術的特徴１記載のゴルフクラブ。
技術的特徴１５：
上記軽量インサートは厚さが変化する下方部分を有する技術的特徴１記載のゴルフクラブ。
技術的特徴１６：
打撃フェースと、
上記打撃フェースと連結され、かつ離間されるバックフランジであって、少なくとも１つの切り込みを有するものと、
上記打撃フェースおよび上記バックフランジの間に配置された軽量インサートとを有し、
上記軽量インサートは少なくとも１つの突起を有し、上記突起が上記切り込み中に配されて上記打撃フェースおよび上記バックフランジの間に配列され上記軽量インサートが上記打撃フェースに対してずれないようにしたことを特徴とするゴルフクラブ。
技術的特徴１７：
上記ヘッドは上記打撃フェースの背面に設けられたキャビティを有し、上記軽量インサートは上記キャビティ中に配される技術的特徴１６記載のゴルフクラブ。
技術的特徴１８：
上記キャビティの下方部分にアンダーカットが形成され、ヘッドの所望の重量を実現するように充填される技術的特徴１７記載のゴルフクラブ。
技術的特徴１９：
上記打撃フェースは、ゴルフボールを打つ前面とこの前面の反対側のバックとを含み、上記軽量インサートは上記バックの下方の一部としか接触しない技術的特徴１６記載のゴルフクラブ。
技術的特徴２０：
上記軽量インサートと接触する上記バックの一部は、上記前面のボール衝撃位置に対応する技術的特徴１９記載のゴルフクラブ。
技術的特徴２１：
上記突起は上記フランジに配された複数の切り込みのうちの１つと係合して配され、上記ボール衝撃位置に上記軽量インサートが整列するように上記１つの切り込みを選択する技術的特徴１９記載のゴルフクラブ。
技術的特徴２２：
上記軽量インサートは上記打撃フェースおよび上記バックフランジの間に圧縮フィットされる技術的特徴１記載のゴルフクラブ。
技術的特徴２３：
上記打撃フェースの厚さは約０．１０２ｃｍ（０．０４インチ）から約０．４０６ｃｍ（０．１６インチ）の間である技術的特徴１６記載のゴルフクラブ。
技術的特徴２４：
上記軽量インサートはアルミニウム、マグネシウム、チタン、強化ポリマー、またはこれらの組み合わせを含む技術的特徴１６記載のゴルフクラブ。
技術的特徴２５：
上記軽量インサートは、実質的に均一の厚さの下方部分と、より大きな厚さの上方部分とを有する技術的特徴１６記載のゴルフクラブ。
技術的特徴２６：
上記軽量インサートの厚さが変化し、もっと厚い部分が上記打撃フェースの中心寄りに配される技術的特徴１６記載のゴルフクラブ。
技術的特徴２７：
複数の軽量インサートを有し、各軽量インサートが少なくとも１つの突起を有し、上記突起が上記切り込みに係合し、各インサートが上記打撃フェースの少なくとも一部に接触する技術的特徴１６記載のゴルフクラブ。
技術的特徴２８：
フロントサイドおよびバックサイドを具備する打撃フェースと、
上記打撃フェースから伸びる周囲ウエイトと、
上記周囲ウエイトの下方部分から延びてバックキャビティの約１０％から約５０をカバーするバックフランジと、
上記打撃フェースおよび上記バックフランジに並べられて上記バックフランジを越えて上記バックキャビティの少なくとも約５％から約４０％をカバーするインサートとを有することと特徴とするアイアンゴルフクラブ。